(57)【特許請求の範囲】
【請求項１】
略四角形状のシート部材の両端にそれぞれ支柱を設けた可搬式バックレストに取り付けられ、利用者の頭部を支える枕本体部を有する枕であって、前記支柱のそれぞれに対し着脱可能に取り付けられる取付部材を、前記枕本体部の両端に有し、
前記可搬式バックレストが立て掛けて使用された際に、前記枕本体部と前記取付部材とを接続し前記枕本体部と前記取付部材との間の距離を調節することによって前記枕本体部の高さ調整が可能な調節部材を、前記枕本体部の両端に有することを特徴とする枕。
【請求項２】
前記取付部材が、前記支柱の任意の箇所を掴む掴持部材であり、前記調節部材が前記枕本体部と前記取付部材とを接続する紐であることを特徴とする請求項１に記載の枕。
【発明の詳細な説明】
【技術分野】
【０００１】
本発明は、枕に関し、詳しくは、車椅子等に設置され、着座した人の体位を安定して保持可能な可搬式バックレストに取り付けられる枕に関するものである。
【背景技術】
【０００２】
近年の高齢化社会を背景に、高齢者や自宅療養者の介護サービスが社会的に要請されている。そして、医療面においても、自宅での歯科診療のニーズが高くなってきており、歯科の巡回在宅診療の普及が重要となってきている。
【０００３】
ところで、在宅で歯科診療を行う場合は、患者を車椅子に着座させて行うことが多い。また、歯科診療の際は、内科診療等とは異なり、患者の口腔内を十分観察できるように、患者の姿勢を仰向けにすることが好ましい。しかし、在宅での歯科診療の際に患者が座る車椅子は通常、バックレスト（背もたれ）部分を倒すことができず、患者の姿勢を仰向けにするのは難しい場合が多い。
【０００４】
したがって、車椅子を用いた在宅での歯科診療では、患者は、仰向けではなく、座った状態で首を後ろに反らせた格好を採る。しかしながら、車椅子は通常、ヘッドレストを備えておらず、また、バックレスト部分の高さも十分ではない。そのため、上述の首を後に反らせた格好で姿勢を安定させることは難しい。車椅子に代えて、一般的に家庭に普及している椅子を用いた場合でも同様である。
【０００５】
このため、車椅子等を用いた在宅での歯科診療では、例えば、衛生士や看護士らのアシスタントが患者の後ろに回って、患者の頭部を背後から支えることも行われているが、この場合でも、患者の頭部は不安定な状態であり、患者は安心して治療が受けられないといった問題がある。
【０００６】
車椅子使用者の頭部を支える装置として、車椅子に装着可能なヘッドレストが、例えば、特許文献１や特許文献２に開示されている。
しかしながら、在宅診療先の車椅子の全てに、特許文献１または２に開示されているようなヘッドレストが装着されているわけではない。そのため、在宅歯科診療の際は、診療のための治療用器具に加えて上記のようなヘッドレストを歯科医等が携帯しなければならず、運搬において非常な負担となるばかりか、車椅子へのレッドレストの取り付けのために診療以外の時間がかかるといった問題があった。
【０００７】
特許文献３には、上述の問題を解決するものとして、軽量かつコンパクトであり、持ち運びが容易で、車椅子等に設置することにより、着座した人の体位を安定して保持可能な可搬式バックレストが開示されている。このバックレストでは、着座した人の背中を支えるシート部材に面ファスナーを設け、該面ファスナーに枕を取り付けるようにしている。また、特許文献３には、面ファスナーなどの枕取付部材を設けずに、患者の後頭部付け根と可搬式バックレストとの間に枕を単に挟持することが開示されている。
【先行技術文献】
【特許文献】
【０００８】
【特許文献１】実開平７−７６２６号公報
【特許文献２】特開２０００−５２３６号公報
【特許文献３】特開２０１４−１５１１４２号公報
【発明の開示】
【発明が解決しようとする課題】
【０００９】
しかしながら、特許文献３に開示のように可搬式バックレストに面ファスナーを用いる場合、面ファスナーに髪の毛がくっついてひっかかる等して車椅子の利用者に不快感を与えてしまったり、面ファスナーにゴミが付着しやすいので不衛生であったりすることがある。
【００１０】
本発明は、上記の課題に鑑みてなされたもので、車椅子等に設置され、着座した人の体位を安定して保持可能な可搬式バックレストに取り付けられる枕であって、不快感を与えることがなく衛生的なものを提供することを目的とする。
【課題を解決するための手段】
【００１１】
上記課題を解決するために、本発明の第１の技術手段は、略四角形状のシート部材の両端にそれぞれ支柱を設けた可搬式バックレストに取り付けられ、利用者の頭部を支える枕本体部を有する枕であって、前記支柱のそれぞれに対し着脱可能に取り付けられる取付部材を、前記枕本体部の両端に有し、前記可搬式バックレストが立て掛けて使用された際に、前記枕本体部と前記取付部材とを接続し前記枕本体部と前記取付部材との間の距離を調節することによって前記枕本体部の高さ調整が可能な調節部材を、前記枕本体部の両端に有することを特徴としたものである。
【００１２】
本発明の第２の技術手段は、第１の技術手段において、前記取付部材が、前記支柱の任意の箇所を掴む掴持部材であり、前記調節部材が、前記枕本体部と前記取付部材とを接続する紐であることを特徴としたものである。
【発明の効果】
【００１３】
本発明によれば、車椅子等に設置され、着座した人の体位を安定して保持可能な可搬式バックレストに取り付けられて用いられる場合でも、車椅子の利用者に不快感を与えず、衛生的にすることができる。
【図面の簡単な説明】
【００１４】
【図１】本発明の枕が取り付けられる可搬式バックレストの一例を説明するための図である。
【図２】図１の可搬式バックレストの巻き畳んだ状態を示す図である。
【図３】本発明の枕の一例を示す図である。
【図４】図３の枕を取り付けた図１の可搬式バックレストを車椅子に装着した例を示す図である。
【図５】図１の可搬式バックレストに取り付けられた状態の図３の枕の一端の拡大図である。
【図６】図３の枕を取り付けた図１の可搬式バックレストを患者が利用している状態を示す図である。
【図７】本発明の枕の他の例を説明するための図である。
【図８】図７の紐を示す図である。
【発明を実施するための形態】
【００１５】
以下、図面を参照しながら本発明の好適な実施形態について説明する。以下の説明において、異なる図面においても同じ符号を付した構成は同種のものであるとして、その説明を省略する場合がある。
【００１６】
図１は、本発明の枕が取り付けられる可搬式バックレストの一例を説明するための図であり、図１（Ａ）は可搬式バックレストの斜視図、図１（Ｂ）は図１（Ａ）の可搬式バックレストに用いられる支柱の斜視図である。
図１（Ａ）の可搬式バックレスト１は、略四角形状のシート部材２の両側端に支柱３を設けたものである。シート部材２は、ナイロン生地や綿布などの比較的丈夫な素材からなっている。支柱３は、図１（Ｂ）に示すように、長尺の筒状部材からなり、例えば合成樹脂パイプや金属パイプ等から構成され、所定の可撓性を有していることが好ましい。
【００１７】
シート部材２に支柱３を取り付ける方法としては、例えば、図１（Ａ）における上側の端部が開口され同下側の端部が閉じられた筒状の支柱装着部４をシート部材２の両端に設け、その支柱装着部４の開口側から支柱３を挿入してシート部材２に着脱自在に取り付ける方法がある。
【００１８】
図２は、図１の可搬式バックレスト１の巻き畳んだ状態を示す図である。可搬式バックレスト１は、該バックレスト１を巻き畳んだ状態で維持するための緊縛部材としてベルト部材５を有する。これにより、可搬式バックレスト１はコンパクトにまとめられ持ち運びが容易になっている。なお、ベルト部材５は、図１（Ａ）では見えないシート部材２の裏側に設けられている。
【００１９】
図３は、本発明の枕の一例を示す図である。
図３の枕１０は、図１の可搬式バックレスト１に取り付けられて用いられるものであって、利用者の頭部を支える枕本体部１１と、可搬式バックレスト１の支柱３の任意の位置を掴持する掴持部材１２と、枕本体部１１と掴持部材１２とを接続する紐１３が設けられている。掴持部材１２及び紐１３は、図では枕本体部１１の一端にのみ設けられているように見えるが、実際は両端に設けられている。
なお、掴持部材１２及び紐１３は、本発明の「取付部材」及び「調節部材」の一例である。
【００２０】
図４は、図３の枕１０を取り付けた可搬式バックレスト１を車椅子に装着した状態を示す図である。
可搬式バックレスト１は、往診先にて図示のように車椅子５０の背もたれ５１に立て掛けて使用される。その際、患者と可搬式バックレスト１との間に枕１０が挿入される。枕１０は、可搬式バックレスト１の支柱３の任意の位置に着脱可能に取り付けられる掴持部材１２によって、患者の体格の大小に係らず、患者に対する所望の位置（例えば患者の後頭部付け根）に位置するように固定される。
【００２１】
この枕１０によって、患者は背中から頭部に掛けて安定してその体位を維持することができる。また、枕１０では、面ファスナー等を用いていないので、患者の髪の毛が引っ掛かることがないため不快感を与えることがなく、且つ、ゴミが付着しないため衛生的である。
【００２２】
さらに、枕本体部１１と掴持部材１２とを紐１３で接続しているため、掴持部材１２の位置をずらさなくても枕本体部１１の位置を微調整できるので、患者が微妙に姿勢を変えた場合に枕本体部１１を適切な位置にずらすことができ、また、枕１０の取付時間を短くすることができ、診療時間が長くなるのを防ぐことができる。
【００２３】
図５は、可搬式バックレスト１に取り付けられた状態の枕１０の一端の拡大図である。なお、枕１０の上記一端についてのみ説明するが、他端の構成は上記一端と同様である。
図５に示すように、枕１０の枕本体部１１のカバー１１ａは、その端部に孔１１ｃを有する舌片１１ｂが設けられている。なお、カバー１１ａは、拭き掃除などによる清掃を容易にする目的や美観向上の目的で合成皮革製や人工皮革製である。
掴持部材１２は、例えば金属製や樹脂製であり、つまみ部分１２ａに孔１２ｂを有する。
【００２４】
紐１３は、例えば合成繊維製や天然繊維製であり、枕本体部１１の孔１１ｃと掴持部材１２の孔１２ｂの両方に通される。
紐１３は、その両端に、孔１１ｃ及び孔１２ｂより大径な結び目が設けられ、該結び目によって孔１１ｃ及び孔１２ｂより抜け落ちないようになっている。また、紐１３は、その結び目の位置を変更することによって枕本体部１１と掴持部材１２との距離を調節可能になっている。
枕本体部１１と掴持部材１２との距離は、歯医者等の使い勝手上好みが分かれるので上述のように調整可能なことが好ましい。
【００２５】
図６は、枕１０を取り付けた可搬式バックレスト１を患者が利用している状態を示す図である。
患者の中には、図示するように、片麻痺で上肢が左右に傾いている患者Ｐもいる。枕１０では、掴持部材１２を両端で異なる高さに取り付けることができるので、上述のような患者Ｐに合わせて枕本体部１１の角度を調整して、その角度のまま保持することができる。
【００２６】
図７は、本発明の枕の他の例を説明するための図である。図８は、図７の枕１０´の紐１３´を示す図である。
図７の枕１０´と図３の枕１０との相違部分は、紐１３´（１３）の構成である。
図７の枕１０´の紐１３´は、図８に示すように、枕本体部１１の孔１１ｃ及び掴持部材１２の孔１２ｂより小径の紐本体１３ａを有する。該紐本体１３ａは、枕本体部１１の孔１１ｃ側の端部において、該孔１１ｃより大径な結び目１３ｂとされており、該結び目１３ｂによって紐本体１３ａが孔１１ｃより抜け落ちないようになっている。また、紐本体１３ａには、掴持部材１２の孔１２ｂ側の任意の位置に留めることが可能であり該孔１２ｂより大径なアジャスタ１３ｃが取り付けられている。このアジャスタ１３ｃによって、紐本体１３ａが孔１２ｂより抜け落ちないようになっていると共に、枕本体部１１と掴持部材１２との距離を調節可能になっている。
【００２７】
以上の例では、枕本体部のカバーに、孔を有する舌片を設け、上記孔を用いて舌片に紐を固定する形態であったが、舌片を設けずに、紐を直接カバーに縫いつけて固定するようにしてもよい。
また、以上の例では、掴持部材のつまみ部分に孔を設け、該孔を用いてつまみ部分に紐を固定する形態であったが、孔を設けずに、つまみ部分に紐を固結するようにしてもよい。
【符号の説明】
【００２８】
１…可搬式バックレスト、２…シート部材、３…支柱、４…支柱装着部、５…ベルト部材
１０，１０´…枕、１１…枕本体部、１１ａ…カバー、１１ｂ…舌片、１１ｃ…孔、１２…掴持部材、１２ａ…つまみ部分、１２ｂ…孔、１３，１３´…紐、１３ａ…紐本体、１３ｂ…結び目、１３ｃ…アジャスタ、５０…車椅子、５１…背もたれ。
【図１】
0006351036.tif 000002
【図２】
0006351036.tif 000003
【図３】
0006351036.tif 000004
【図４】
0006351036.tif 000005
【図５】
0006351036.tif 000006
【図６】
0006351036.tif 000007
【図７】
0006351036.tif 000008
【図８】
0006351036.tif 000009